【手続補正書】
【提出日】平成16年5月11日(2004.5.11)
【手続補正１】
【補正対象書類名】明細書
【補正対象項目名】全文
【補正方法】変更
【補正の内容】
【書類名】        明細書
【発明の名称】      遊技機用基板ボックス
【特許請求の範囲】
【請求項１】  遊技機の制御部品を搭載した回路基板を収容するために１面が開放されたボックスベースと、そのボックスベースの開放部分に覆設され、そのボックスベースとともに前記回路基板を被包するボックスカバーとを備えた遊技機用基板ボックスにおいて、
前記ボックスベース又はボックスカバーの一方から他方へ向けて立設され、そのボックスカバーと前記ボックスベースとの対向面間を塞ぐ側壁部材と、
その側壁部材と前記ボックスベース又はボックスカバーの他方との対向面間を遮蔽する遮蔽部材とを備えていることを特徴とする遊技機用基板ボックス。
【請求項２】  前記側壁部材を、その側壁部材に対向する前記ボックスベース又はボックスカバーの他方における縁部に連結し、そのボックスカバーを前記ボックスベースに対して開閉可能に結合する開閉部材を備え、前記遮蔽部材は、その開閉部材により結合される前記側壁部材と前記ボックスベース又はボックスカバーの他方における縁部との対向面間を遮蔽するものであることを特徴とする請求項１記載の遊技機用基板ボックス。
【請求項３】  前記ボックスベース又はボックスカバーの他方は、前記側壁部材と対向する位置からその側壁部材へ向けて立設される第２側壁部材を備え、前記遮蔽部材は、前記側壁部材から前記ボックスベース又はボックスカバーの他方側へ向けて立設されるとともに、前記第２側壁部材における前記側壁部材との対向面より更に前記ボックスベース又はボックスカバーの他方側へ延出されていることを特徴とする請求項１又は２に遊技機用基板ボックス。
【請求項４】  前記第２側壁部材における前記側壁部材との対向面は、その側壁部材における前記第２側壁部材との対向面と当接されており、前記遮蔽部材は、前記第２側壁部材の立設位置より内側位置へ向けて立設され、その遮蔽部材の外側面は前記第２側壁部材の内側面と当接されていることを特徴とする請求項３記載の遊技機用基板ボックス。
【請求項５】  前記遮蔽部材は、略板状に形成されると共に、前記ボックスベース又はボックスカバーの縁部に沿って所定長さ連続して設けられていることを特徴とする請求項１から４のいずれかに記載の遊技機用基板ボックス。
【請求項６】  前記遮蔽部材は前記ボックスベース又はボックスカバーのいずれか一方に一体的に形成されていることを特徴とする請求項１から５のいずれかに記載の遊技機用基板ボックス。
【請求項７】  前記遮蔽部材は前記ボックスベースおよびボックスカバーと別体に形成されていることを特徴とする請求項１から５のいずれかに記載の遊技機用基板ボックス。
【発明の詳細な説明】
【０００１】
【発明の属する技術分野】  本発明は遊技機の制御部品を搭載した回路基板を被包する遊技機用基板ボックスに関し、特に、ボックスベース及びボックスカバーのこじ開けを防止して、回路基板への不正行為を防ぐことができる遊技機用基板ボックスに関するものである。
【０００２】
【従来の技術】  近年、パチンコ機などの遊技機は、その遊技盤に設けられる入賞装置および表示装置等を制御して、遊技の興趣を盛り上げるものが主流となっている。この入賞装置および表示装置の制御は、ＩＣ，ＬＳＩ等の多数の電子部品を搭載したロジック回路基板、又は、マイクロコンピュータを有する回路基板により行われる。これらの回路基板はボックスベースおよびボックスカバーを備えた基板ボックスに被包されており、この基板ボックスのボックスベース及びボックスカバーの一部分は、特殊な封印ねじにより接合され封印されている。
【０００３】
この封印に用いられる封印ねじは、その頭部にねじ回し工具の先端がねじ込み方向にのみ係合される十字溝が形成されている。よって、この十字溝にねじ回し工具が係合され反ねじ込み方向へ回転されると、ねじ回し工具が空回りされて封印ねじの抜き取りが防止されるのである。従って、かかる封印ねじで基板ボックスを封印することによって、基板ボックスの開封が防止されるので、基板ボックスに被包された回路基板への接触行為や、その回路基板からＲＯＭを取り外して交換し遊技内容を変更する不正行為が防止される。
【０００４】
【発明が解決しようとする課題】  しかしながら、上記の基板ボックスでは、封印ねじによってボックスベース及びボックスカバーの一部分のみが接合されるとともに、ボックスベース及びボックスカバーの合わせ目（当接面）が略平面状にそれぞれ形成されている。このため、ボックスベース及びボックスカバーの合わせ目に薄板状の工具等を差し込むことにより、ボックスベース及びボックスカバーの合わせ目に隙間が開けられ、基板ボックスがこじ開けられてしまうという問題点があった。
【０００５】
このように基板ボックスがこじ開けられると、ボックスベース及びボックスカバーの合わせ目に生じる隙間から薄板状の工具等を差し込むことができるので、その薄板状の工具や針金等の先端部分で回路基板の回路パターンなどの信号線が削られ切断されて、遊技内容が不正に変更されてしまうという問題点があった。
【０００６】
本発明は上述した問題点を解決するためになされたものであり、ボックスベース及びボックスカバーのこじ開けを防止して、回路基板への不正行為を防ぐことができる遊技機用基板ボックスを提供することを目的としている。
【０００７】
【課題を解決するための手段】  この目的を達成するため、請求項１記載の遊技機用基板ボックスは、遊技機の制御部品を搭載した回路基板を収容するために１面が開放されたボックスベースと、そのボックスベースの開放部分に覆設され、そのボックスベースとともに前記回路基板を被包するボックスカバーとを備え、前記ボックスベース又はボックスカバーの一方から他方へ向けて立設され、そのボックスカバーと前記ボックスベースとの対向面間を塞ぐ側壁部材と、その側壁部材と前記ボックスベース又はボックスカバーの他方との対向面間を遮蔽する遮蔽部材とを備えている。
【０００８】
この請求項１記載の遊技機用基板ボックスによれば、まず、回路基板がボックスベースの開放部分からボックスベース内に収容される。この収容後、ボックスベースの開放部分にボックスカバーが覆設されると、ボックスベース及びボックスカバーにより回路基板が被包される。この回路基板が被包された状態では、ボックスカバーとボックスベースとの対向面間が側壁部材により塞がれるとともに、この側壁部材とボックスベース又はボックスカバーの他方との対向面間が遮蔽部材により遮蔽される。よって、ボックスベース及びボックスカバーをこじ開けるため、側壁部材とボックスベース又はボックスカバーの他方との対向面間へ、薄板状の工具等が差し込まれたとしても、その工具等の先端は遮蔽部材に突き当たり、かかる差し込みが防止される。
請求項２記載の遊技機用基板ボックスは、請求項１記載の遊技機用基板ボックスにおいて、前記側壁部材を、その側壁部材に対向する前記ボックスベース又はボックスカバーの他方における縁部に連結し、そのボックスカバーを前記ボックスベースに対して開閉可能に結合する開閉部材を備え、前記遮蔽部材は、その開閉部材により結合される前記側壁部材と前記ボックスベース又はボックスカバーの他方における縁部との対向面間を遮蔽するものである。
請求項３記載の遊技機用基板ボックスは、請求項１又は２に記載の遊技機用基板ボックスにおいて、前記ボックスベース又はボックスカバーの他方は、前記側壁部材と対向する位置からその側壁部材へ向けて立設される第２側壁部材を備え、前記遮蔽部材は、前記側壁部材から前記ボックスベース又はボックスカバーの他方側へ向けて立設されるとともに、前記第２側壁部材における前記側壁部材との対向面より更に前記ボックスベース又はボックスカバーの他方側へ延出されている。
請求項４記載の遊技機用基板ボックスは、請求項３記載の遊技機用基板ボックスにおいて、前記第２側壁部材における前記側壁部材との対向面は、その側壁部材における前記第２側壁部材との対向面と当接されており、前記遮蔽部材は、前記第２側壁部材の立設位置より内側位置へ向けて立設され、その遮蔽部材の外側面は前記第２側壁部材の内側面と当接されている。
請求項５記載の遊技機用基板ボックスは、請求項１から４のいずれかに記載の遊技機用基板ボックスにおいて、前記遮蔽部材は、略板状に形成されると共に、前記ボックスベース又はボックスカバーの縁部に沿って所定長さ連続して設けられている。
請求項６記載の遊技機用基板ボックスは、請求項１から５のいずれかに記載の遊技機用基板ボックスにおいて、前記遮蔽部材は前記ボックスベース又はボックスカバーのいずれか一方に一体的に形成されている。
請求項７記載の遊技機用基板ボックスは、請求項１から５のいずれかに記載の遊技機用基板ボックスにおいて、前記遮蔽部材は前記ボックスベースおよびボックスカバーと別体に形成されている。
【０００９】
【発明の実施の形態】  以下、本発明の好ましい実施例について、添付図面を参照して説明する。図１は、本発明の遊技機用基板ボックスの一実施例である主制御基板ボックス（以下、単に、基板ボックスと称す。）１が配設されたパチンコ機Ｐの裏面図である。図１に示すように、基板ボックス１は、薄板鋼材等で構成された薄皿状の取付部材Ｐ１により、遊技機の一種であるパチンコ機Ｐの遊技盤Ｐ２の裏面に設けられた入賞球集合カバーＰ３に取り付けられている。
【００１０】
基板ボックス１は、パチンコ機Ｐの遊技内容に関する制御プログラムやデータを記憶したＲＯＭ等の電子部品（制御部品）が搭載された主制御基板７（図２参照）を被包するためのものであり、主に、ボックスベース２と、そのボックスベース２に覆設されるボックスカバー３とを備えている。
【００１１】
図２は、基板ボックス１の分解斜視図であり、図２中の矢印Ａは、ボックスカバー３をボックスベース２に結合するために、ボックスカバー３をボックスベース２に対して相対的にスライドさせる方向を示している。尚、図２では、スペーサ２ａ４及びスペーサ２ａ５の図示を省略している。
【００１２】
図２に示すように、基板ボックス１のボックスベース２及びボックスカバー３はいずれも略矩形椀状体に形成されており、ボックスベース２は後述する主制御基板７を収容（設置）可能に形成されている。この基板ボックス１によれば、ボックスベース２内に後述する主制御基板７を収容（設置）した状態で、ボックスベース２及びボックスカバー３における互いの開口面（開放部分）を対向させ合致（合体）させることにより、ボックスカバー３がボックスベース２に覆設され、主制御基板７を被包することができる。尚、図２では、ボックスカバー３を裏面（後面）側から斜視しており、主制御基板７の部品面７１（図２の裏側面）に搭載される電子部品を省略して図示している。
【００１３】
ボックスベース２は、後述する主制御基板７が設置される略矩形平板状の底板２ａと、その底板２ａの４つの端辺にそれぞれ（図２の紙面に対する手前側へ）立設される略平板状の側壁板２ｂ，２ｃ，２ｅ，２ｆとを備えている。これらの側壁板２ｂ，２ｃ，２ｅ，２ｆの各端部は平面視ロ字状となるように連設されており、ボックスベース２は、これら５枚の底板２ａ、側壁板２ｂ，２ｃ，２ｅ，２ｆにより１面に開放部分が設けられた略矩形椀状体に形成されている。また、側壁板２ｂ，２ｃの外面には、基板ボックス１を封印するボックス封印具１０の封印ユニット２０がそれぞれ配設されている。尚、ボックス封印具１０の封印ユニット２０についての説明は後述する。
【００１４】
ボックスベース２の内部には、主制御基板７を収容するための略凹状の空間である収容空間２ｄが設けられている。この収容空間２ｄは、その長手方向（図２の上下方向）幅、即ち、側壁板２ｂ，２ｃの対向面間幅が幅長Ｌ１に形成されており、主制御基板７の長手方向（図２の上下方向）における幅長Ｌ２より大きく形成されている（Ｌ１＞Ｌ２）。しかも、収容空間２ｄにおける幅長Ｌ１の方向、及び、主制御基板７における幅長Ｌ２の方向は、ボックスカバー３のスライド方向（図２の矢印Ａ方向）と一致している。
【００１５】
側壁板２ｅは、ボックスカバー３の側壁板３ｄに対応して立設されており、ボックスカバー３がボックスベース２に覆設された場合に、側壁板３ｄとともに基板ボックス１の左側面（図２及び図４の左側）を塞ぐものである。この側壁板２ｅには、略同一形状の矩形枠状体に形成された４つの係止枠２ｅ１が設けられている。各係止枠２ｅ１は、後述するボックスカバー３の４つの係止爪３ｄ１を回動可能かつ摺動可能に係止するものであり、この係止によってボックスベース２の側壁板２ｅとボックスカバー３の側壁板３ｄとを連結し、ボックスカバー３をボックスベース２に対して開閉可能に結合することができる。
【００１６】
各係止枠２ｅ１は、側壁板２ｅにおける底板２ａの長手方向（図２の上下方向）に略等間隔で設けられており、この各係止枠２ｅ１の間隔は間隔幅ｔ１とされている。また、各係止枠２ｅ１には、各係止爪３ｄ１が挿入可能な係止溝２ｅ２がそれぞれ穿設されている。これらの各係止溝２ｅ２は、後述するボックスカバー３の４つの係止爪３ｄ１をボックスベース２の長手方向へ向けて摺動可能に係止するために、ボックスベース２の長手方向、即ち、底板２ａの長手方向幅が幅長ｗ１の長溝状にそれぞれ形成されている。
【００１７】
しかも、これらの各係止溝２ｅ２の長手方向（図２の上下方向）両端側には、ボックスカバー３の各係止爪３ｄ１の摺動位置を制限する制限壁２ｅ３がそれぞれ設けられている。よって、これらの各制限壁２ｅ３により、ボックスカバー３がボックスベース２に対して相対的にスライドする際に、ボックスカバー３の各係止爪３ｄ１の摺動量が制限され、ボックスカバー３の相対的なスライドが規制されるのである。
【００１８】
側壁板２ｆは、ボックスカバー３の仕切部材５に対応して立設されており、ボックスカバー３がボックスベース２に覆設された場合に、仕切部材５とともに基板ボックス１の右側面（図２及び図４の右側）を塞ぐものである。また、側壁板２ｆは、基板ボックス１に収納された主制御基板７に接続されるケーブル（配線部材）を導出するための導出口２ｆ１を備えている。
【００１９】
また、底板２ａの前面における側壁板２ｃ，２ｅの連設部分の隅（図２の左下側）には略円柱状のスペーサ２ａ１が突設され、底板２ａの前面における側壁板２ｃ側（図２の下側）の縁部略中央には略板状のスペーサ２ａ２が底板２ａ及び側壁板２ｃに跨って突設されている。更に、底板２ａ前面には、側壁板２ｆ側の縁部（図２の右側）に底板２ａの長手方向（図２の上下方向）へ向けて連続した略板状のスペーサ２ａ３が立設されている。
【００２０】
ボックスベース２の側壁板２ｂには矩形板状のロック板２ｇが外方（図２の上方）へ向けて突設される一方、ボックスベース２の側壁板２ｃには後述するボックスカバー３のロック板３ｅが係止される矩形平板状の結合板２ｈが配設されている。この結合板２ｈには後述するロック板３ｅが挿入可能な結合口２ｉが穿設されており、ボックスベース２に合致されたボックスカバー３を矢印Ａ方向へスライドさせると、かかる結合口２ｉへロック板３ｅを挿入することができる。
【００２１】
その結果、ボックスカバー３のロック板３ｅはボックスベース２の結合板２ｈに係止され、ボックスベース２およびボックスカバー３が結合されるので、かかる結合状態で、ボックスカバー３が各係止枠２ｅ１及び後述する各係止爪３ｄ１を介して回動され開放されることを防止することができるのである。
【００２２】
ボックスカバー３は、ボックスベース２の底板２ａに対向してボックスベース２の開口面（図２の手前側）を覆う略平板状の天板３ａと、その天板３ａの長手方向（図２の上下方向）における両端に立設された側壁板３ｂ，３ｃと、天板３ａの一側縁部（図２右側）から外方へ傾斜した側壁板３ｄとを備えている。このボックスカバー３の側壁板３ｂ，３ｃには、基板ボックス１を封印するため、上記した封印ユニット２０に対向して封印ユニット３０がそれぞれ配設されている。なお、ボックス封印具１０の封印ユニット３０についての説明は後述する。
【００２３】
ボックスカバー３の側壁板３ｄは、天板３ａの一側縁部（図２の右側）から傾斜しつつ延出されており、この側壁板３ｄにおける延出部分の端面（図２の手前側面）には上述した各係止枠２ｅ１に対応して４つの係止爪３ｄ１が略等間隔でそれぞれ設けられている。これらの各係止爪３ｄ１の先端部分は略Ｊ字状にそれぞれ屈曲形成されており、かかる係止爪３ｄ１の先端部分は係止枠２ｅ１の係止溝２ｅ２に挿入可能に形成されている。この係止爪３ｄ１を係止溝２ｅ２へ挿入することにより、各係止爪３ｄ１が各係止枠２ｅ１に係止されるのである。また、各係止爪３ｄ１の長手方向幅は幅長ｗ２に形成され、各係止溝２ｅ２の幅長ｗ１より幅狭に形成されている（ｗ１＞ｗ２）。
【００２４】
側壁板３ｄにおける延出部分の端面（図２の手前側面）であって、上述した各係止爪３ｄ１の間部分には、複数枚（例えば、３枚）の略平板状の遮蔽板３ｄ２が一体的に立設されている。この複数の遮蔽板３ｄ２は、ボックスカバー３がボックスベース２に覆設された場合に、側壁板３ｄと側壁板２ｅとの対向面間（合わせ目）を遮蔽して塞ぐものである（図５（ｂ）参照）。また、各遮蔽板３ｄ２の長手方向（図２の上下方向）幅は幅長ｗ３に形成され、この各遮蔽板３ｄ２の幅長ｗ３は各係止枠２ｅの間隔幅ｔ１より幅狭に形成されている（ｗ３＜ｔ１）。
【００２５】
また、ボックスカバー３の側壁板３ｃには矩形板状のロック板３ｅが外方（図２の下方）へ向けて突設される一方、ボックスカバー３の側壁板３ｂには上述したボックスベース２のロック板２ｇが係止される矩形平板状の結合板３ｆが配設されている。この結合板３ｆには上述したロック板２ｇが挿入可能な結合口３ｇが穿設されており、ボックスベース２に合致されたボックスカバー３を矢印Ａ方向へスライドさせると、かかる結合口３ｇへロック板２ｇを挿入することができる。その結果、ボックスベース２のロック板２ｇはボックスカバー３の結合板３ｆに係止され、ボックスベース２およびボックスカバー３が結合されるので、かかる結合状態で、ボックスカバー３が各係止枠２ｅ１及び後述する各係止爪３ｄ１を介して回動され開放されることを防止することができるのである。
【００２６】
ボックスカバー３の側壁板３ｃの内側面には略Ｌ字板状の内壁板３ｈが隣接して形成されている。この内壁板３ｈは、天板３ａから主制御基板７側（図２の手前側）へ向けて立設されており、その端部が側壁板３ｃの端部より突出して形成されている。このため、ボックスカバー３がボックスベース２に覆設された場合に、内壁板３ｈの端部はボックスベース２の側壁板２ｃ前端より底板２ａ側へ突出するのである。
【００２７】
よって、ボックスベース２に覆設されたボックスカバー３を矢印Ａ方向へスライドした場合に、内壁板３ｈ端部をボックスベース２の側壁板２ｃ前端に引っ掛けることができる。このように、内壁板３ｈが側壁板２ｃに引っ掛かることにより、ボックスカバー３の矢印Ａ方向へのスライドを停止させることができ、ボックスカバー３をボックスベース２に確実に合致させることができる。
【００２８】
図３は、ボックスベース２に合致されたボックスカバー３がスライドされて結合される以前の状態における基板ボックス１の側断面図であり、図３中の矢印Ａは、ボックスカバー３をボックスベース２に結合するために、ボックスカバー３をボックスベース２に対して相対的にスライドさせる方向を示している。尚、図３では、スペーサ２ａ３を省略して図示している。
【００２９】
図３に示すように、底板２ａの前面における側壁板２ｂ，２ｅの連設部分の隅（図３の上側）には円柱状のスペーサ２ａ４が突設され、底板２ａの前面における側壁板２ｂ側縁部には略板状のスペーサ２ａ５が底板２ａ及び側壁板２ｂに跨って突設されている。尚、スペーサ２ａ４は、スペーサ２ａ１と上下対称に突設され、スペーサ２ａ５はスペーサ２ａ２と上下対称に突設されている。
【００３０】
スペーサ２ａ１〜２ａ５は、ボックスベース２内に主制御基板７が収容される場合に、主制御基板７の半田面７２側縁部（図２の手前側面）に当接して主制御基板７を支持するものであり、主制御基板７と底板２ａとの間に隙間を設けて、その半田面７２と底板２ａとの接触を防止することができる。
【００３１】
よって、収容空間２ｄ内で主制御基板７をボックスカバー３と共にスライドさせる場合には、主制御基板７と底板２ａとの間に隙間により、主制御基板７の半田面７２から底板２ａへ向けて突出する電子部品等の接続用ピン（図示せず）などが底板２ａに引っ掛かることが防止されるので、主制御基板７を収容空間２ｄ内で円滑にスライドさせることができる。しかも、これらのスペーサ２ａ１〜２ａ５は、底板２ａからの突出高さが略等しくされており、主制御基板７を収容空間２ｄ内にガタつかせずに収容することができる。
【００３２】
ボックスカバー３とボックスベース２とが合致され、かつ、ボックスカバー３が矢印Ａ方向へスライドされる以前の状態では、収容空間２ｄの側壁板２ｃとその側壁板２ｃと対向する主制御基板７端部（図２及び図３の下側端）との間に幅長Ｌ１と幅長Ｌ２の差分長さの空隙Ｌ３（＝Ｌ１−Ｌ２）を設けることができる。よって、かかる空隙Ｌ３が設けられることにより、主制御基板７は、後述するように、ボックスカバー３の矢印Ａ方向へ向けたスライドに伴って、収容空間２ｄ内で矢印Ａ方向へスライドされるのである。
【００３３】
また、各係止爪３ｄ１が係止された各係止溝２ｅ２内には、係止爪３ｄ１と係止溝２ｅ２の長手方向における差分長さ分の空隙ｗ４（＝ｗ１−ｗ２）が設けられている。よって、各係止爪３ｄ１が係止溝２ｅ２に挿入された場合には、ボックスカバー３を、係止溝２ｅ２および係止爪３ｄ１の空隙ｗ４分だけ矢印Ａ方向へスライドさせることができるのである。即ち、空隙ｗ４は、ボックスカバー３のボックスベース２に対する相対的なスライド量と一致するのである。
【００３４】
しかも、ボックスカバー３のボックスベース２に対するスライド量と一致する係止溝２ｅ２および係止爪３ｄ１の空隙ｗ４は、上述したボックスベース２の収容空間２ｄと主制御基板７との空隙Ｌ３より小さくされている（Ｌ３＞ｗ４）。よって、図３に示す状態からボックスカバー３と共に主制御基板７を矢印Ａ方向への空隙ｗ４の長さ分スライドさせる場合に、主制御基板７における側壁板２ｃとの対向端（図３の下側）がボックスベース２の側壁板２ｂと衝突して破損することを防止できる。
【００３５】
また、各係止枠２ｅ１の間部分には遮蔽板３ｄ２がそれぞれ入り込んでおり、かかる状態で、各遮蔽板３ｄ２の下端面（図３下側）とそれに対向する各係止枠２ｅ１の上端面との間には空隙ｗ５（＝ｔ１−ｗ３）が設けられている。しかも、この空隙ｗ５は、空隙ｗ４より若干小さくされている（ｗ５＜ｗ４）。よって、図３に示す状態からボックスカバー３と共に主制御基板７を矢印Ａ方向への空隙ｗ４の長さ分スライドさせる場合に、各遮蔽板３ｄ２が各係止枠２ｅ１と衝突して破損することを防止することができる。
【００３６】
また、上述した側壁板３ｄにおけるボックスカバー３の長手方向両側近傍には、天板３ａ側端（図２左側）から係止爪３ｄ１側端（図２右側）へ向けて略円柱状の位置決め部材４，４がそれぞれ立設されている。この一対の位置決め部材４，４は、後述する主制御基板７をボックスカバー３の所定位置に位置決めするためのものである。位置決め部材４，４は、ボックスカバー３に一体成形されており、ボックスカバー３と同様に、耐衝撃性を有するポリカーボネート樹脂等の合成樹脂等で構成されている。
【００３７】
位置決め部材４，４は、その先端（図２の右側）に略円柱状の位置決め突起４ａ，４ａがそれぞれ突設されている。これらの位置決め突起４ａ，４ａは、その外形が後述する主制御基板７に穿設される位置決め穴７ｇ，７ｇの開口形状に適合して形成されており、かかる位置決め穴７ｇ，７ｇに嵌合可能に形成されている。よって、位置決め突起４ａ，４ａが主制御基板７の位置決め穴７ｇ，７ｇに嵌合することにより、主制御基板７をボックスカバー３に位置決めすることができる。しかも、かかる位置決め部材４，４が主制御基板７の各位置決め穴７ｇ，７ｇに嵌合することにより、主制御基板７はボックスカバー３に引っ掛けられるので、ボックスカバー３がスライドされる場合に、ボックスカバー３と共に主制御基板７をボックスベース２の収容空間２ｄ内で矢印Ａ方向へ向けてスライドさせることができるのである。
【００３８】
また、各位置決め部材４，４の各位置決め突起４ａ，４ａは、その突出長さが主制御基板７の板厚より小さく形成されており、主制御基板７の位置決め穴７ｇ，７ｇ内に嵌合される場合に、主制御基板７の半田面７２側から突出することが防止されている（図３参照）。よって、ボックスカバー３と共に主制御基板７をボックスベース２の収容空間２ｄ内でスライドさせる場合に、位置決め部材４，４の各位置決め突起４ａ，４ａがボックスベース２の底板２ａなどに引っ掛かることが防止されるので、主制御基板７を収容空間２ｄ内で円滑にスライドさせることができるのである。
【００３９】
ボックスカバー３における側壁板３ｄの反対側縁部（図２の左側）には、その長手方向（図２の上下方向）のほぼ全域に、天板３ａから主制御基板７側へ向けて仕切部材５が立設されている。この仕切部材５は、ボックスベース２と一体成形されており、ボックスベース２と同様に、耐衝撃性を有するポリカーボネート樹脂等の合成樹脂等で構成されている。
【００４０】
仕切部材５は、ボックスカバー３の天板３ａに対して略直角方向へ向けて連接されつつ立設される略板状の仕切り板５ａと、その仕切り板５ａにおける天板３ａの反対側端部からボックスカバー３の外方（図２の左方）へ向けて略直角に延出される略平板状の覆設板５ｂとを備えている。仕切部材５は、基板ボックス１内に主制御基板７が収納された場合に、主制御基板７におけるコネクタ７ｂ〜７ｆ配置側縁部に配置されるように構成されており、その仕切り板５ａにより基板ボックス１の内外部を仕切り、基板ボックス１の外部からの主制御基板７への接触行為を防止することができる。
【００４１】
仕切り板５ａは、その長手方向（図２の上下方向）両側に、ボックスカバー３をボックスベース２に固定するビス９，９が挿入可能な通穴５ｃ，５ｃがそれぞれ穿設されている。各通穴５ｃ，５ｃは、ボックスカバー３の天板３ａ外面（図２の裏側面）から仕切部材５の覆設板５ｂ側端面（図２の手前側面）に貫通してそれぞれ穿設されるとともに、後述する主制御基板７の各通穴７ａ，７ａにそれぞれ対応して穿設されている。よって、基板ボックス１内に主制御基板７が収納された場合には、図４に示すように、ビス９，９を各通穴５ｃ，５ｃにそれぞれ挿入することにより、これらのビス９，９のねじ部先端は、主制御基板７の各通穴７ａ，７ａを通過しボックスベース２の底板２ａに到達するので、各ビス９，９をボックスベース２の底板２ａにねじ込み、仕切部材５を介して、ボックスカバー３及び主制御基板７をボックスベース２にまとめてねじ止めすることができる。
【００４２】
また、図２に示すように、仕切部材５の覆設板５ａには、主制御基板７との当接面（図２手前側面）に正面視略矩形状に形成された５つのコネクタ口５ｄ〜５ｈが穿設されている。この各コネクタ口５ｄ〜５ｈは、その断面形状が後述する主制御基板７に配置された５つのコネクタ７ｂ〜７ｆの外形に適合してそれぞれ形成されており、かかるコネクタ７ｂ〜７ｆが挿嵌可能に形成されている。
【００４３】
よって、図４に示すように、仕切部材５が主制御基板７の縁部（図４の右側）に配置される場合には、主制御基板７の各コネクタ７ｂ〜７ｆを仕切部材５の各コネクタ口５ｄ〜５ｈに挿嵌された各コネクタ７ｂ〜７ｆを基板ボックス１の外部に露出させることができるのである。しかも、覆設板５ｂは、その各コネクタ口５ｄ〜５ｈの断面形状が各コネクタ７ｂ〜７ｆの外形に適合して形成されているので、各コネクタ口５ｄ〜５ｈから主制御基板７における各コネクタ７ｂ〜７ｆ以外の部分を覆い隠して、主制御基板７への接触行為を防止できる。
【００４４】
また、これらのコネクタ口５ｄ〜５ｈは、その断面形状が主制御基板７の各コネクタ７ｂ〜７ｆの外形に適合して形成されているので、これらの各コネクタ７ｂ〜７ｆが挿嵌されることにより、主制御基板７を仕切部材５の所定位置に位置決めすることもできる。しかも、主制御基板７は、そのコネクタ７ｂ〜７ｆ及び覆設板５ｂのコネクタ口５ｄ〜５ｈを介して、仕切部材５に引っ掛けられるので、ボックスカバー３がスライドされる場合に、ボックスカバー３及び仕切部材５と共に主制御基板７をボックスベース２の収容空間２ｄ内で矢印Ａ方向へ向けてスライドさせることができるのである。
【００４５】
仕切部材５の長手方向（図２の上下方向）両側近傍には、天板３ａ側端（図２の左側）から覆設板５ｂ側端（図２の右側）へ向けて略円柱状の位置決め部材６，６がそれぞれ立設されている。この一対の位置決め部材６，６は、後述する主制御基板７を仕切部材５の所定位置に位置決めするためのものである。位置決め部材６，６は、ボックスカバー３及び仕切部材５に一体成形されており、ボックスカバー３及び仕切部材５と同様に、耐衝撃性を有するポリカーボネート樹脂等の合成樹脂等で構成されている。
【００４６】
位置決め部材６，６は、その先端（図２の右側）に略円柱状の位置決め突起６ａ，６ａがそれぞれ突設されている。これらの位置決め突起６ａ，６ａは、その外形が後述する主制御基板７に穿設される位置決め穴７ｈ，７ｈの開口形状に適合して形成されており、かかる位置決め穴７ｈ，７ｈに嵌合可能に形成されている。よって、位置決め突起６ａ，６ａが主制御基板７の位置決め穴７ｈ，７ｈに嵌合することにより、主制御基板７を仕切部材５の所定位置に位置決めすることができる。しかも、かかる位置決め部材６，６が主制御基板７の各位置決め穴７ｈ，７ｈに嵌合することにより、主制御基板７はボックスカバー３及び仕切部材５に引っ掛けられるので、ボックスカバー３及び仕切部材５がスライドされる場合に、これらと共に主制御基板７をボックスベース２の収容空間２ｄ内で矢印Ａ方向へ向けてスライドさせることができるのである。
【００４７】
このように、仕切部材５が一体成形されたボックスカバー３によれば、上述した位置決め部材４，４及び位置決め部材６，６により、主制御基板７の四隅が位置決めされるので、主制御基板７をガタつかせることなくボックスカバー３に仮止めすることができるのである。
【００４８】
しかも、かかる位置決め部材４，４及び位置決め部材６，６は、その位置決め突起４ａ，４ａ及び位置決め突起６ａ，６ａが主制御基板７の各位置決め穴７ｇ，７ｇ及び位置決め穴７ｈ，７ｈにそれぞれ嵌合され、主制御基板７の四隅を位置決めするので、ボックスカバー３がボックスベース２に対して相対的にスライドされる場合に、収容空間２ｄ内でスライドされる主制御基板７がそのスライド方向に対して傾きズレることを防止して、円滑にスライドさせることができる。
【００４９】
また、各位置決め部材６，６の各位置決め突起６ａ，６ａは、その突出長さが主制御基板７の板厚より小さく形成されており、主制御基板７の位置決め穴７ｈ，７ｈ内に嵌合される場合に、主制御基板７の半田面７２側から突出することが防止されている。よって、ボックスカバー３と共に主制御基板７をボックスベース２の収容空間２ｄ内でスライドさせる場合に、位置決め部材６，６の各位置決め突起６ａ，６ａがボックスベース２の底板２ａなどに引っ掛かることが防止されるので、主制御基板７を収容空間２ｄ内で円滑にスライドさせることができるのである。
【００５０】
主制御基板７は、ボックスカバー３の天板３ａと対向する部品面７１にパチンコ機Ｐの遊技内容に関する制御プログラムやデータを記憶したＲＯＭ等の電子部品（図示せず）が搭載されるものであり、矩形薄板状に形成されている。この主制御基板７は、仕切部材５に対向する縁部（図２の左側）における長手方向（図２の上下方向）両端近傍に上述したビス９，９が挿入可能な２つの通穴７ａ，７ａがそれぞれ穿設されている。また、主制御基板７の部品面７１における仕切部材５との対向部分（図２の左側）には複数（５個）の雄型のコネクタ７ｂ〜７ｆが配置されている。これらのコネクタ７ｂ〜７ｆは、図４に示すように、仕切部材５が主制御基板７の右側縁部に配置される場合に、仕切部材５の各コネクタ口５ｄ〜５ｈに挿嵌可能にそれぞれ形成されている。よって、かかる各コネクタ７ｂ〜７ｆを仕切部材５の各コネクタ口５ｄ〜５ｈに挿嵌することにより、各コネクタ７ｂ〜７ｆを基板ボックス１の外部に露出させることができるのである。
【００５１】
また、図２に示すように、主制御基板７の上部に配置されるコネクタ７ｂは、アース線（配線部材）の一端に配設される雌型のコネクタＢが嵌合可能に形成されている。また、他のコネクタ７ｃ〜７ｆには、フラットケーブル（配線部材）の一端に配設される雌型のコネクタＣ〜Ｆが嵌合可能に形成されている。尚、図２では、アース線およびフラットケーブルの図示を省略している。
【００５２】
また、主制御基板７の一側縁部（図２右側）には、上述した位置決め部材４，４の各位置決め突起４ａ，４ａに対応して、開口形状が略円形状の位置決め穴７ｇ，７ｇがそれぞれ突設される一方、主制御基板７の他側縁部（図２左側）には、上述した位置決め部材６，６の各位置決め突起６ａ，６に対応して、開口形状が略円形状の位置決め穴７ｈ，７ｈがそれぞれ突設されている。位置決め穴７ｇ，７ｇは、その開口形状が上述した位置決め突起４ａ，４ａの外形に適合して形成されており、かかる位置決め突起４ａ，４ａを嵌合可能に形成されている。一方、位置決め穴７ｈ，７ｈは、その開口形状が上述した位置決め突起６ａ，６ａの外形に適合して形成されており、かかる位置決め突起６ａ，６ａを嵌合可能に形成されている。
【００５３】
また、ボックスベース２の底板２ａの裏面には、パチンコ機Ｐに配設される取付部材Ｐ１（図１参照）に基板ボックス１を掛止するためのボックスロック板８が取着される。このボックスロック板８は透明なＡＢＳ樹脂等の合成樹脂等で略台形薄板状に形成されており、ボックスベース２の底板２ａの裏面（図２の奥側）にねじ止め等により取着されている。
【００５４】
図４は、基板ボックス１の組立後の外観斜視図である。図４に示すように、ボックスカバー３の前面上下部分には上述したビス９，９が挿入可能な５ｃ，５ｃがそれぞれ穿設されている。この各通穴５ｃ，５ｃは、上述した主制御基板７の各通穴７ａ，７ａに対応して穿設されており、ボックスベース２にボックスカバー３を覆設した場合に、ボックスカバー３の天板３ａ外面側（図４の手前側面）から各通穴５ｃ，５ｃへそれぞれ挿入されたビス９，９を主制御基板７の各通穴７ａ，７ａを通過させてボックスベース２の底板２ａにねじ込み、ボックスカバー３、仕切部材５及び主制御基板７をボックスベース２にまとめて固定することができる。
【００５５】
ボックスカバー３における各通穴５ｃ，５ｃが穿設された部分には、封印シール１０，１０が貼付されている。この封印シール１０，１０は、特殊な粘着材が塗布されたシール材で構成されており、この封印シール１０，１０が貼付された後に剥がされると、シール材から粘着材が剥がれてしまう。よって、一度剥がされた封印シール１０，１０を再度貼付することができないので、封印シール１０，１０が不正に剥がされた場合には、かかる不正行為を容易に発見することができるのである。
【００５６】
また、封印シール１０，１０は、ボックスベース２とボックスカバー３とに跨って貼付され、基板ボックス１の開封を防止するように貼付される。この場合、各封印シール１０，１０は各通穴５ｃ，５ｃに覆い被さるように貼付されるので、各通穴５ｃ，５ｃに挿入されたビス９，９の抜き取り行為を防止することができるのである。
【００５７】
図５（ａ）は、図４のＶａ−Ｖａ線における係止枠２ｅ１及び係止爪３ｄ１の側断面図であり、図５（ｂ）は、図４のＶｂ−Ｖｂ線における遮蔽板３ｄ２の側断面図であり、図中では、理解を容易にするため、主制御基板７の部品面７１に搭載される各種電子部品の図示を省略している。図５（ａ）に示すように、ボックスカバー３の側壁板３ｄは、上述した係止枠２ｅ１及び係止爪３ｄ１によってボックスベース２の側壁板２ｅと連結され、この連結によりボックスカバー３がボックスベース２に対して開閉可能に結合されている。
【００５８】
ここで、係止爪３ｄ１は、その略Ｊ字状の先端部分が係止枠２ｅ１の係止溝２ｅ２内に挿入され、係止枠２ｅ１の下端面（図５（ａ）左下側）に引っ掛けられて係止されている。かかる状態で、ボックスベース２の側壁板２ｅは、ボックスカバー３の側壁板３ｄと連結されるので、例えば、薄板状の工具等を側壁板２ｅと側壁板３ｄとの合わせ目、即ち、段部３ｄ３と側壁板２ｅとの間へ差し込んで、かかる合わせ目を離間させてこじ開けられる場合に、薄板状の工具による持ち上げ量を制限することができる。よって、かかる持ち上げ量の制限により、側壁板２ｅと側壁板３ｄとの合わせ目に大きな隙間を開けることができない。
【００５９】
図５（ｂ）に示すように、遮蔽板３ｄ２は、ボックスベース２の側壁板２ｅの立設位置より内側（図５（ｂ）右側）位置へ向けて立設され、その側壁板２ｅ，３ｄの対向面間（即ち、段部３ｄ３）より更にボックスベース２側（図５（ｂ）下側）へ延出されている。また、遮蔽板３ｄ２の板厚は側壁板３ｄの板厚より小さく形成されており、このため、遮蔽板３ｄ２と側壁板３ｄとの間部分には段部３ｄ３が設けられている。この段部３ｄ３の端面は、ボックスベース２の側壁板２ｅにおける上端面と当接されている。このようにして、側壁板２ｅ，３ｄ、遮蔽板３ｄ２及び段部３ｄ３の合わせ目は合决り（あいじゃくり）状に接合されている。
【００６０】
また、遮蔽板３ｄ２における側壁板２ｅとの対向面（図５（ｂ）左側）には勾配面Ｍが設けられている。この勾配面Ｍは、遮蔽板３ｄ２の先端側（図５（ｂ）下側）へ向かうに従って、遮蔽板３ｄ２の板厚を漸減するように傾斜されている。このため、ボックスカバー３をボックスベース２に覆設する場合に、勾配面Ｍによって遮蔽板３ｄ２を側壁板２ｅの立設位置より内側へ案内して、ボックスベース２及びボックスカバー３を容易に合致させることができる。
【００６１】
更に、側壁板２ｅにおける遮蔽板３ｄ２の勾配面Ｍとの対向面は、その勾配面Ｍと同方向に傾斜されており、この勾配面Ｍと当接されている。このように、側壁板２ｅは遮蔽板３ｄ２の勾配面Ｍと当接されるので、側壁板２ｅと遮蔽板３ｄ２の勾配面Ｍとの間に隙間ができることがない。よって、このような隙間に薄板状の工具等を差し込んで基板ボックス１をこじ開けることが防止され、基板ボックス１に被包された主制御基板７への不正行為を防止することができる。
【００６２】
しかも、側壁板３ｄの外面（図５（ｂ）左側）はボックスベース２における側壁板２ｅの外面（図５（ｂ）左側）と略面一状に合致されている。よって、ボックスベース２とボックスカバー３との合わせ目、即ち、側壁板２ｅと側壁板３ｄとの対向部分に指などを引っ掛けることができず、基板ボックス１をこじ開け難くすることができる。
【００６３】
次に、図６から図８を参照して基板ボックス１に配設されたボックス封印具１０について説明する。図６は、基板ボックス１に配設されたボックス封印具１０の拡大斜視図である。図６に示すように、ボックス封印具１０は、基板ボックス１を封印するための封印ねじ１１と、その封印ねじ１１が螺入されるナット１２と、封印ねじ１１を係止するための係止座金（抜け止め手段）１３と、ナット１２および係止座金１３が配置される４つの封印部材２１を有する封印ユニット２０と、各封印部材２１に対向してボックスカバー３に配設される４つの封印部材３１を有する封印ユニット３０と、封印ねじ１１の予備用の部材である予備ねじ１４とを備えている。
【００６４】
封印ねじ１１は、封印ユニット２０，３０における各封印部材２１，３１を連結するためのものであり、ステンレス鋼材等の金属材料で構成されている。封印ねじ１１は、封印部材２１，３１に挿入される略円柱状の軸部１１ａを備え、その軸部１１ａの先端部１１ｃには係止座金１３の内孔１３ｂを押し広げるための先細状のテーパ部Ｔ１が形成され、そのテーパ部Ｔ１の上部には係止座金１３の内孔１３ｂが填り込み可能な係止溝１１ｆが周設されている。
【００６５】
この係止溝１１ｆの上部にはおねじの螺刻されたおねじ部１１ｄが形成されており、おねじ部１１ｄはナット１２内に螺刻されためねじ部１２ｃに螺合可能に形成されている。また、おねじ部１１ｄの上部には円柱状の非おねじ部１１ｅが形成されており、非おねじ部１１ｅの外径はナット１２のめねじ部１２ｃの内径より小さく形成されている。よって、封印ねじ１１がナット１２に螺入され基板ボックス１が封印された場合、封印ねじ１１の非おねじ部１１ｅをナット１２のめねじ部１２ｃ内に挿設することができる（図８参照）。
【００６６】
軸部１１ａの上端には略半球状の頭部１１ｂが一体成形されている。頭部１１ｂは、その外径が軸部１１ａの外径より大きく形成され、封印部材３１の係合穴３１ａに係合可能に形成されている。また、頭部１１ｂの上面には、スクリュードライバ等のねじ回し工具が係合可能な上面視略十字状の係合溝１１ｇが凹設されている。よって、この係合溝１１ｇにスクリュードライバ等のねじ回し工具を係合させることにより、封印ねじ１１をねじ込み方向および反ねじ込み方向の双方に回転することができる。尚、封印ねじ１１と予備ねじ１４は略同一形状に形成されているので、予備ねじ１４の説明は省略する。
【００６７】
ナット１２は、封印ねじ１１および係止座金１３を封印部材２１内に保持するためのものであり、封印部材２１に嵌合可能に形成されている。ナット１２は、真鍮等の金属材料から構成されており、略円盤状に形成されたナット頭部１２ａと、そのナット頭部１２ａより外径が小さく形成された略円柱状の円筒部１２ｂと、封印ねじ１１のおねじ部１１ｄに螺合可能なめねじが形成されためねじ部１２ｃと、そのめねじ部１２ｃに連通して穿設された保持穴１２ｅ（図８参照）とを備えている。
【００６８】
ナット頭部１２ａは、封印部材２１の嵌合穴２１ａに嵌合可能に形成されており、そのナット頭部１２ａの下方に形成された円筒部１２ｂは、封印部材２１の嵌合穴２１ｂに嵌合可能に形成されている。この円筒部１２ｂの外周面にはローレット切りが施されているので、嵌合穴２１ｂに嵌合された際に円筒部１２ｂの外周面を嵌合穴２１ｂの内壁に引っ掛かけることができる。よって、ナット１２を嵌合穴２１ｂ内に保持することができ、ナット１２の抜き取りを抑制することができる（図８参照）。
【００６９】
係止座金１３は、封印ねじ１１の係止溝１１ｆを介して、封印ねじ１１を封印部材２１内に係止するためのものであり、バネ鋼材等を用いて上面視略Ｏ字形に形成されたプッシュナットである。係止座金１３は、その略中央部分に略すり鉢状に凹設された受け部１３ａを有しており、この受け部１３ａの略中央部分には、略円形状の内孔１３ｂが穿設されている。このため、この係止座金１３の受け部１３ａは、封印ねじ１１の先端部１１ｃを、内孔１３ｂへと案内することができる。
【００７０】
受け部１３ａには、複数の切欠が略等配分で設けられており、かかる切欠は内孔１３ｂに連通して形成されている。よって、係止座金１３の内孔１３ｂに封印ねじ１１の先端部１１ｃが挿入された場合に、先端部１１ｃのテーパ部Ｔ１を介して受け部１３ａを弾性変形させて、係止座金１３の内孔１３ｂを押し広げることができるのである。尚、係止座金１３は、封印部材２１の嵌合穴２１ｂ内であって、ナット１２の下方に配置される（図８参照）。
【００７１】
封印ユニット２０は、封印ねじ１１および封印ユニット３０を介して、基板ボックス１を封印するためのものである。封印ユニット２０は、ボックスベース２と同様に、ポリカーボネート樹脂等の耐衝撃性を有する透明な合成樹脂材料で形成されており、ボックスベース２の側壁２ｂ，２ｃにそれぞれ配設されている（図２参照）。この封印ユニット２０は、ナット１２および係止座金１３が配置される４つの封印部材２１と、各封印部材２１とボックスベース２の側壁２ｂ（側壁２ｃ）とを互いに連結する４つの連結部材２２と、封印ねじ１１の予備用の部材である予備ねじ１４を保持するために設けられた３つの予備ねじ保持部材２３とを備えている。
【００７２】
封印部材２１は、略円柱状に形成されており、その一部が平板状の連結部材２２によりボックスベース２の側壁２ｂに連結されている。連結部材２２により連結された封印部材２１とボックスベース２の側壁２ｂとの間には、ニッパ等の工具の刃先が入り込むことが可能な間隔が形成されており、連結部材２２を切断して封印部材２１を除去する場合に、ニッパ等の工具を用いて連結部材２２を容易に切断することができる。尚、図２に示すように、ボックスベース２の側壁２ｃにも同様に、連結部材２２により封印部材２１が連結されている。
【００７３】
図６に示すように、ボックスベース２の側壁２ｂに配設された４つの封印部材２１のうち、図６の右側に配設された３つの封印部材２１の外周面の一側（図６の左側）には予備ねじ保持部材２３がそれぞれ一体に形成されている。この予備ねじ保持部材２３は、予備ねじ１４を保持するためのものであり、その上面には、予備ねじ１４を挿入可能に形成された予備ねじ保持穴２３ａが穿設されている。予備ねじ保持穴２３ａは略Ｃ字形に形成されており、その一部には切欠が設けられている。よって、予備ねじ保持穴２３ａ内への予備ねじ１４の挿入に伴って、予備ねじ保持穴２３ａの内径を拡大することができる。尚、図２に示すように、ボックスベース２の側壁２ｃに配設された封印ユニット２０にあっては、４つの封印部材２１のうち、右側（図２の右側）に配設された３つの封印部材２１の外周面の左側（図２の左側）に、予備ねじ保持部材２３がそれぞれ一体に形成されている。
【００７４】
封印部材２１の上面部分、即ち、封印部材３１との当接面（対向面）であって、側壁２ｂ側の半周部分には、上面視略Ｃ字状の周壁２４が上方へ向けて凸設されている。この周壁２４は封印部材３１の下面外周に凹設された嵌合溝３５（図７参照）に適合して形成されており、ボックスカバー３がボックスベース２に覆設され封印部材２１，３１が合致された場合に、かかる周壁２４を封印部材３１の嵌合溝３５に填め込むことができる。また、封印部材２１の上面部分であって、側壁２ｂと反対側の半周部分には、上面視略Ｃ字状の段差である嵌合溝２５が凹設されている。この嵌合溝２５は封印部材３１の下面外周に凸設された周壁３４に適合して形成されており、ボックスカバー３がボックスベース２に覆設され封印部材２１，３１が合致された場合に、かかる嵌合溝２５に封印部材３１の周壁３４を填め込むことができる。
【００７５】
尚、ボックスベース２の側壁２ｃに配設された封印ユニット２０の各封印部材２１では、周壁２４は、封印部材３１との当接面であって、側壁２ｃの反対側の半周部分に凸設され、かつ、嵌合溝２５は封印部材３１との当接面であって、側壁２ｃ側の半周部分に凹設されている。
【００７６】
封印ユニット３０は、封印ねじ１１と封印ユニット２０とを介して、基板ボックス１を封印するためのものである。封印ユニット３０は、ボックスカバー３と同様に、ポリカーボネート樹脂等の耐衝撃性を有する透明な合成樹脂材料で形成されており、基板ボックス１のボックスカバー３の側壁３ｂ、３ｃにそれぞれ配設されている。この封印ユニット３０は、封印ねじ１１が係合される４つの封印部材３１と、各封印部材３１とボックスカバー３の側壁３ｂ（側壁３ｃ）とを互いに連結するための４つの連結部材３２と、予備ねじ１４の頭部１１ｂの上方を覆う３つの予備ねじ保持板３３とを備えている。
【００７７】
各封印部材３１は、それぞれ略円柱状に形成されており、封印ユニット２０の各封印部材２１のそれぞれと対向しつつ、連結部材３２によりボックスカバー３の側壁３ｂに連結されている。また、連結部材３２により連結された封印部材３１とボックスカバー３の側壁３ｂとの間には、ニッパ等の工具の刃先が入り込むことが可能な間隔が形成されている。よって、連結部材３２を切断して封印部材３１を除去する場合に、ニッパ等の工具を用いて連結部材３２を容易に切断することができる。尚、図２に示すように、ボックスカバー３の側壁３ｃにも同様に、連結部材３２により封印部材３１が連結されている。
【００７８】
各封印部材３１の上面には、封印ねじ１１の頭部１１ｂと係合される係合穴３１ａと、その係合穴３１ａに連通した挿入穴３１ｂ（図８参照）とが穿設されている。係合穴３１ａの内径は、封印ねじ１１の頭部１１ｂの外径より大きく形成されており、その深さ、即ち、封印部材３１の上面から係合穴３１ａの底面までの長さは、封印ねじ１１の頭部１１ｂの長さより大きく形成されている。よって、封印ねじ１１の頭部１１ｂを封印部材３１の上面から突出させることなく、封印部材３１の係合穴３１ａ内に係合させることができる（図８参照）。
【００７９】
図６に示すように「、ボックスカバー３の側壁３ｂに配設された４つの封印部材３１のうち、図６の左側に配設された３つの封印部材３１の外周面の一側（図６の右側）には、略平板状の予備ねじ保持板３３がそれぞれ一体に形成されている。この予備ねじ保持板３３は、予備ねじ保持部材２３に保持された予備ねじ１４の頭部１１ｂを上方から押さえるためのものである。各予備ねじ保持板３３の上面には、「２」から「４」までの番号表示Ｋがそれぞれ表示されている。各番号表示Ｋは、封印ユニット３０の成形と同時に型枠を用いて形成されており、各一対の封印部材２１，３１が封印される順番を表している。尚、この各番号表示Ｋを付す方法としては、「２」から「４」の数字を印刷した合成樹脂等のシート等を各予備ねじ保持板３３の上面に貼付等したりしても良い。
【００８０】
各予備ねじ保持板３３は、それらが形成されている各封印部材３１に対向する封印部材２１の右側に隣接する封印部材２１の予備ねじ保持部材２３に保持されている予備ねじ１４を上方から押さえることができる。例えば、「２」の番号表示Ｋが付された予備ねじ保持板３３は、その右側に隣接する（側壁３ｂの最も右側に位置する）封印部材３１と対向する封印部材２１の予備ねじ保持部材２３に保持された予備ねじ１４の頭部１１ｂの上方に覆設され、予備ねじ１４を押さえることができる。
【００８１】
また、予備ねじ保持板３３及び予備ねじ保持部材２３により保持された予備ねじ１４を取り出す場合には、封印ねじ１１により連結された封印部材２１，３１における連結部材２２及び連結部材３２を切断すると、その封印部材２１，３１が基板ボックス１から外され、その封印部材２１の予備ねじ保持部材２３に保持された予備ねじ１４が予備ねじ保持板３３から離れる。その結果、切断された封印部材２１の予備ねじ保持穴２３ａから予備ねじ１４を容易に取り外すことができるとともに、かかる予備ねじ１４を用いて、別の封印部材２１，３１を連結して、基板ボックス１を再度封印することができる。
【００８２】
尚、図２に示すように、ボックスカバー３の側壁３ｃに配設された封印ユニット３０にあっては、４つの封印部材３１のうち、右側（図２の右側）に配設された３つの封印部材３１の外周面の左側（図２の左側）に、予備ねじ保持板３３がそれぞれ一体に形成されている。
【００８３】
図７は、天板３ａを下方へ向けた状態のボックスカバー３の部分的拡大図である。図７に示すように、封印部材３１の上面部分、即ち、封印部材２１との当接面（対向面）であって、側壁３ｂと反対側の半周部分には、上面視略Ｃ字状の周壁３４が上方へ向けて凸設されている。この周壁３４は封印部材２１に凹設された嵌合溝２５（図６参照）に適合して形成されており、ボックスカバー３がボックスベース２に覆設され封印部材２１，３１が合致された場合に、かかる周壁３４を封印部材３１の嵌合溝２５に填め込むことができる。また、封印部材３１の上面部分であって、側壁３ｂ側の半周部分には、上面視略Ｃ字状の段差である嵌合溝３５が凹設されている。この嵌合溝３５は封印部材２１に凸設された周壁２４に適合して形成されており、ボックスカバー３がボックスベース２に覆設され封印部材２１，３１が合致された場合に、封印部材２１の周壁２４を填め込むことができるのである。
【００８４】
尚、ボックスカバー３の側壁３ｃに配設された封印ユニット３０の各封印部材３１では、周壁３４は封印部材２１との当接面であって、側壁３ｃ側の半周部分に凸設され、かつ、嵌合溝３５は封印部材２１との当接面であって、側壁３ｃと反対側の半周部分に凹設されている。
【００８５】
図８は、基板ボックス１を封印した状態におけるボックス封印具１０の部分断面図であり、図中の矢印Ａはボックスカバー３のスライド方向を示している。図８に示すように、上述したナット１２および係止座金１３は、封印部材２１の内部に配置されており、ナット１２の円筒部１２ｂの下方にストッパ材１３が配置されている。ナット１２のめねじ部１２ｃの内径は、封印ねじ１１の非おねじ部１１ｅの外径と比較して大きく形成されており、めねじ部１２ｃ内に非おねじ部１１ｅを挿設することができる。また、保持穴１２ｅは、めねじ部１２ｃと連通して穿設されており、その内径は封印ねじ１１のおねじ部１１ｄの外径より大きく形成されている。よって、封印ねじ１１がナット１２のめねじ部１２ｃに螺入されて基板ボックス１が封印された場合、封印ねじ１１のおねじ部１１ｄを保持穴１２ｅ内に挿設することができる。
【００８６】
封印部材２１の内部には、内径の異なる複数の同心状の嵌合穴２１ａ，２１ｂ，２１ｃが連通してそれぞれ形成されており、これらの内径は嵌合穴２１ａ，２１ｂ，２１ｃの順に大きく形成されている。嵌合穴２１ａは、封印部材２１の上面に形成されており、ナット１２のナット頭部１２ａが嵌合可能に形成されている。この嵌合穴２１ａの深さ、即ち、封印部材２１の上面から嵌合穴２１ａの底面までの長さはナット１２のナット頭部１２ａの厚さ（軸方向長さ）と略同一に形成されている。よって、嵌合穴２１ａに嵌合されたナット１２の上端部が封印部材２１の上面から突出することを防止することができる。従って、ボックスカバー３をボックスベース２に対して矢印Ａ方向へスライドさせる際に、封印部材３１の下面部分がナット１２の上端部分に引っ掛かることが防止されるので、ボックスカバー３を滑らかにスライドさせて、封印部材２１，３１を合致させることができる。
【００８７】
嵌合穴２１ｂは、嵌合穴２１ａに連通して形成されており、ナット１２の円筒部１２ｂが嵌合可能に形成されている。この嵌合穴２１ｂの深さ、即ち、嵌合穴２１ａの底面から嵌合穴２１ｂの底面までの長さは、ナット１２の円筒部１２ｂの軸方向長さより大きく形成されており、円筒部１２ｂの下面と嵌合穴２１ｂの底面との間に係止座金１３を保持する空間を形成することができる。また、嵌合穴２１ｂと嵌合穴２１ｃとの連結部分には、面取り部Ｃが形成されており、係止座金１３の受け部１３ａが嵌合される。よって、係止座金１３は、面取り部Ｃを介して嵌合穴２１ｂの底面に位置決めされるとともに、ナット１２の円筒部１２ｂ下面により押さえ付けられることがない。従って、係止座金１３の内孔１３ｂ内に封印ねじ１１の先端部１１ｃを容易に挿入することができるとともに、係止座金１３を容易に弾性変形させることができる。
【００８８】
嵌合穴２１ｃは、嵌合穴２１ｂに連通して形成されており、封印ねじ１１の先端部１１ｃが嵌合可能に形成されている。この嵌合穴２１ｃの深さ、即ち、嵌合穴２１ｂの底面から嵌合穴２１ｃの底面までの長さは、封印ねじ１１の先端部１１ｃの軸方向長さより大きく形成されており、嵌合穴２１ｃの底面に封印ねじ１１の先端部１１ｃ下面を当接させてしまうことがない。
【００８９】
また、上述した封印部材３１の挿入穴３１ｂの内径は、封印ねじ１１の頭部１１ｂの外径より小さく形成されるとともに、封印ねじ１１のおねじ部１１ｄの外径より大きく形成されている。よって、封印ねじ１１のおねじ部１１ｄを挿入穴３１ｂを貫通させて、ナット１２のめねじ部１２ｃに螺合させることができる。また、封印ねじ１１の係止溝１１ｆが係止座金１３により係止されて封印ねじ１１が封印部材２１内に取り外し不可能な状態で保持された場合、封印ねじ１１の頭部１１ｂは係合穴３１ａ内に係合される。従って、封印部材２１，３１は封印ねじ１１により分離不可能に連結され、基板ボックス１は開封不可能な状態で封印することができるのである。
【００９０】
図８に示すように、封印部材２１，３１が対向しつつ合致され封印ねじ１１により連結された場合、封印部材２１の上面部分に凸設された周壁２４は、封印部材３１の下面部分に凹設された嵌合溝３５に填り込み、封印部材３１の下面部分に凸設された周壁３４は、封印部材２１の上面部分に凹設された嵌合溝２５に填り込んでいる。よって、封印部材２１，３１の当接面の間、即ち、周壁２４と嵌合溝３５との当接面の間、又は、周壁３４と嵌合溝２５との当接面の間へ薄板状の工具等を差し込み、封印ねじ１１をナット１２および係止座金１３ごと封印部材２１から引き抜き、基板ボックス１を開封しようとしても、薄板状の工具等の先端部分が周壁２４，３４又は嵌合溝２５，３５に引っ掛かるので、その差し込みを防止することができる。
【００９１】
例えば、図８の右側部分における嵌合溝２５と周壁３４との当接面の間へ薄板状の工具等を差し込んで、封印ねじ１１をナット１２および係止座金１３ごと封印部材２１から引き抜き、基板ボックス１を開封しようとしても、薄板状の工具等の先端部分が嵌合溝２５に当たるので、薄板状の工具等の差し込みを防止することができる。従って、基板ボックス１のこじ開けが防止されて、基板ボックス１に収納された主制御基板７からＲＯＭ等を取り外して交換し、パチンコ機Ｐの遊技内容を変更する不正行為を防止することができるのである。
【００９２】
図９は、予備ねじ１４を保持した状態におけるボックス封印具１０の部分断面図である。図９に示すように、上述した予備ねじ保持部材２３の予備ねじ保持穴２３ａは、予備ねじ保持部材２３の上端面側の内径（上端側内径）より、予備ねじ保持部材２３の下端面側の内径（下端側内径）を小さくしたテーパ部Ｔ２を有しており、その上端側内径は、予備ねじ１４のおねじ部１１ｄの外径と比較して大きく形成されている。よって、このテーパ部Ｔ２を介して、予備ねじ１４を予備ねじ保持穴２３ａ内へ容易に挿入することができる。また、予備ねじ保持穴２３ａの下端側内径は、予備ねじ１４のおねじ部１１ｄの外径と比較して小さく形成されている。よって、予備ねじ１４を予備ねじ保持穴２３ａへ挿入した場合、予備ねじ１４の頭部１１ｂの下端面と予備ねじ保持部材２３の上端面とが当接するまで、予備ねじ１４が押し込まれると、予備ねじ保持穴２３ａの下端部分と予備ねじ１４のおねじ部１１ｄとが係合して、予備ねじ１４を予備ねじ保持穴２３ａ内に取り外し可能な状態で保持することができる。
【００９３】
また、上述した封印部材３１の予備ねじ保持板３３は、予備ねじ保持部材２３に保持された予備ねじ１４の頭部１１ｂの上方に覆設されており、予備ねじ保持板３３の下面と予備ねじ１４の頭部１１ｂの頂部とは当接している。よって、予備ねじ１４の頭部１１ｂは予備ねじ保持板３３により押さえられているので、予備ねじ１４の抜け落ちが防止され、予備ねじ１４の紛失を防止することができる。また、予備ねじ保持部材２３に保持された予備ねじ１４の頭部１１ｂを掴んで、予備ねじ１４を上方へ抜き取る不正行為等を防止することができる。尚、図９中の矢印Ａはボックスカバー３のスライド方向を示している。
【００９４】
次に、上記のように構成された基板ボックス１による主制御基板７の収納方法について説明する。まず、ボックスカバー３の仕切部材５形成側面（図２の手前側面）と主制御基板７の部品面７１側（図２の裏側面）とを対向させて、主制御基板７の位置決め穴７ｇ，７ｇに位置決め部材４，４の位置決め突起４ａ，４ａを対向させる一方、主制御基板７の位置決め穴７ｈ，７ｈに位置決め部材６，６の位置決め突起６ａ，６ａを対向させる。その後、主制御基板７の位置決め穴７ｇ，７ｇに位置決め突起４ａ，４ａをそれぞれ嵌合させる一方、主制御基板７の位置決め穴７ｈ，７ｈに位置決め突起６ａ，６ａをそれぞれ嵌合させて、主制御基板７をボックスカバー３及び仕切部材５の所定位置に位置決めする。
【００９５】
この位置決め部材４，４，６，６による位置決めに伴って、主制御基板７は、そのコネクタ７ｂ〜７ｆが仕切部材５のコネクタ口５ｄ〜５ｈに挿嵌され、その部品面７１におけるコネクタ７ｂ〜７ｆの配置側縁部（図２の左側）が、長手方向（図２の上下方向）全域に亘って仕切部材５の覆設板５ｂにより覆われる（図４参照）。よって、かかる仕切部材５の覆設板５ｂにより主制御基板７におけるコネクタ７ｂ〜７ｆ配置側縁部への接触行為を防止することができるのである。
【００９６】
一方、ボックスベース２の側壁２ｂ，２ｃにそれぞれ配設された各封印部材２１の嵌合穴２１ｂ内に係止座金１３を挿入し、その後、ナット１２を嵌合穴２１ａ，２１ｂ内にそれぞれ嵌合させる。また、各封印ユニット２０の各封印部材２１に設けられた予備ねじ保持穴２３ａ内に予備ねじ１４をそれぞれ挿入する。各予備ねじ１４が各予備ねじ保持穴２３ａ内に完全に挿入された後、ボックスカバー３の主制御基板７側面にボックスベース２を対向させる。
【００９７】
ボックスベース２をボックスカバー３に対向させた後、ボックスカバー３の各係止爪３ｄ１の先端部分をボックスベース２の各係止枠２ｅ１の各係止溝２ｅ２へ挿入して、各係止枠２ｅ１に係止爪３ｄ１を係止して、ボックスベース２とボックスカバー３との互いの開口面を合致させる。この合致により、ボックスベース２の底板２ａに対してボックスカバー３の天板３ａが対向されて、ボックスベース２にボックスカバー３が覆設され、ボックスベース２の収容空間２ｄ内に主制御基板７が収容される。この収容により、主制御基板７は、位置決め部材４，６とボックスベース２のスペーサ２ａ１〜２ａ５との間に挟み込まれる。
【００９８】
ここで、ボックスカバー３がボックスベース２に覆設されると、ボックスカバー３の各遮蔽板３ｄ２がボックスベース２の側壁板２ｅの内側に入り込み、各遮蔽板３ｄ２によって、側壁板３ｄと側壁板２ｅとの対向面間、即ち、合わせ目が遮蔽される。
【００９９】
また、ボックスカバー３とボックスベース２とが合致され、かつ、ボックスカバー３が矢印Ａ方向へスライドされる以前の状態では、図３に示すように、収容空間２ｄの側壁板２ｃとその側壁板２ｃと対向する主制御基板７端部（図３の下側端）との間に空隙Ｌ３が設けられる一方、ボックスベース２の各係止枠２ｅ１におけるボックスカバー３のスライド方向側（図３の下側）に設けられた各制限壁２ｅ３と各係止溝２ｅ２に係止されたボックスカバー３の各係止爪３ｄ１との間には、係止爪３ｄ１と係止溝２ｅ２の長手方向における差分長さ分の空隙ｗ４（＝ｗ１−ｗ２）が設けられる。
【０１００】
ボックスカバー３は、これらの空隙Ｌ３，ｗ４を介して、ボックスベース２及びボックスカバー３の合致後、ボックスベース２に対して相対的に矢印Ａ方向へ向けてスライドされるのである。かかる場合に、収容空間２ｄ内に収容された主制御基板７は、その位置決め穴７ｇ，７ｇ，７ｈ，７ｈに位置決め部材４，４，６，６の各位置決め突起４ａ，４ａ，６ａ，６ａが嵌合されボックスカバー３に引っ掛けられているので、ボックスカバー３のスライドに伴って、スペーサ２ａ１〜２ａ５との当接しつつ収容空間２ｄ内をスライドされる。
【０１０１】
ボックスカバー３は、その各係止爪３ｄ１が各係止溝２ｅ２内を矢印Ａ方向へ向けて摺動することに伴って、ボックスベース２に対して矢印Ａ方向へスライドされる。かかるスライドを続けると、各係止爪３ｄ１は、が各係止溝２ｅ２内を矢印Ａ方向へ向けて空隙ｗ４の長さ分摺動され、各係止枠２ｅ１の各制限壁２ｅ３と当接して摺動位置が制限されて、ボックスカバー３のスライドが停止される。一方、ボックスカバー３のスライドに伴って、ロック板２ｇ，３ｅが結合板３ｆ，２ｈの結合口３ｇ，２ｉにそれぞれ挿入され、ロック板２ｇ，３ｅが結合板３ｆ，２ｈに係止されてボックスベース２とボックスカバー３とが結合される。
【０１０２】
また、ボックスカバー３が矢印Ａ方向へスライドされると、封印部材２１に凸設された周壁２４は、封印部材３１に凹設された嵌合溝３５に填り込み、封印部材３１に凸設された周壁３４は、封印部材２１に凹設された嵌合溝２５に填り込み、封印部材２１，３１が合致される。
【０１０３】
このように合致された封印部材２１，３１によれば、その当接面（対向面）の間、即ち、周壁２４と嵌合溝３５との当接面の間、又は、周壁３４と嵌合溝２５との当接面の間へ薄板状の工具等を差し込み、封印ねじ１１がナット１２および係止座金１３ごと封印部材２１から引き抜き基板ボックス１を開封しようとしても、薄板状の工具等の先端部分が周壁２４，３４又は嵌合溝２５，３５に引っ掛かるので、その差し込みが防止される。一方、封印部材２１，３１が合致されると、各予備ねじ保持板３３は、各予備ねじ保持部材２３に保持された各予備ねじ１４の頭部１１ｂ上方に覆設される。
【０１０４】
ボックスベース２とボックスカバー３とが結合され、封印部材２１，３１が合致された後、ボックスカバー３に穿設された各通穴５ｃ，５ｃにビス９，９をそれぞれ挿入すると、これらのビス９，９のねじ部先端が主制御基板７の各通穴７ａ，７ａを通過してボックスベース２の底板２ａに到達する。各ビス９，９のねじ部先端の底板２ａへの到達後、各ビス９，９がボックスベース２の底板２ａにねじ込まれ、仕切部材５を介してボックスカバー３及び主制御基板７をボックスベース２にまとめてねじ止めにより固定される。その後、各通穴５ｃ，５ｃから底板２ａにねじ込まれたビス９，９を覆いつつ、ボックスベース２及びボックスカバー３に跨るようにして、封印シール１０，１０がそれぞれ貼付される（図４参照）。
【０１０５】
次に、図４に示すように、各ボックス封印具１０の封印部材３１のうち、ボックスカバー３の側壁３ｂの最も左側に配設された封印部材３１、及び、ボックスカバー３の側壁３ｃの最も右側に配設された封印部材３１の内部へ封印ねじ１１を挿入する。具体的には、図８に示すように、上述した２つの封印部材３１の各挿入穴３１ｂ内に封印ねじ１１の先端部１１ｃをそれぞれ挿入する。封印ねじ１１挿入後、封印ねじ１１の係合溝１１ｇにスクリュードライバ等のねじ回し工具を係合し、封印ねじ１１をナット１２にねじ込む。封印ねじ１１がねじ込まれると、封印ねじ１１のおねじ部１１ｄは、ナット１２のめねじ部１２ｃに螺入される。封印ねじ１１のねじ込みが続行されると、封印ねじ１１の先端部１１ｃは、ナット１２の下方に配置された係止座金１３の受け部１３ａに到達し、内孔１３ｂへと案内される。封印ねじ１１の先端部１１ｃが内孔１３ｂへ案内され挿入されると、先端部１１ｃのテーパ部Ｔ１により、係止座金１３の内孔１３ａが押し広げられ、係止座金１３の受け部１３ａが弾性変形する。
【０１０６】
封印ねじ１１が更にねじ込まれると、封印ねじ１１のおねじ部１１ｄとナット１２のめねじ部１２ｃとの螺合が解除され、おねじ部１１ｄおよび非おねじ部１１ｅはそれぞれ保持穴１２ｅおよびめねじ部１２ｃ内に挿設され、封印ねじ１１の係止溝１１ｆが係止座金１３により係止され、封印ねじ１１が封印部材２１内にて抜き取り不可能な状態で保持される。一方、封印ねじ１１の頭部１１ｂは、封印部材３１の係合穴３１ａ内に係合される。
【０１０７】
その結果、封印ねじ１１を反ねじ込み方向へ回転させた場合、封印ねじ１１のおねじ部１１ｄは、ナット１２の保持穴１２ｅ内にて空回し、封印ねじ１１を封印部材２１内から抜き取り不可能にすることができる。更に、封印ねじ１１の頭部１１ｂは、封印部材３１の係合穴３１ａに係合されているので、基板ボックス１のボックスベース２とボックスカバー３とが開封不可能に連結され、基板ボックス１を確実に封印することができる（図８参照）。よって、基板ボックス１に被包された主制御基板７の制御用ＲＯＭ等を不適法に取り外して、パチンコ機Ｐの遊技内容を変更する不正行為を防止することができる。また、封印部材２１，３１を破壊、切断等すれば基板ボックス１を開封することができるが、その場合には、基板ボックス１が開封された痕跡を確実に残すことができる。即ち、不正行為が行われたか否かを即座に発見することができる。
【０１０８】
また、このようにして基板ボックス１が封印されると、各予備ねじ保持穴２３ａに保持された各予備ねじ１４は、各予備ねじ保持板３３により、確実に係止され、各予備ねじ保持穴２３ａ内に抜き取り不可能な状態で保持される。よって、予備ねじ１４が予備ねじ保持穴２３ａから抜け落ちることが防止されるので、予備ねじ１４の紛失を防止することができる。また、予備ねじ１４の不正な抜き取りを防止することができる。
【０１０９】
以上説明したように、本実施例の基板ボックス１によれば、各係止枠２ｅ１及び各係止爪３ｄ１によって、ボックスベース２の側壁板２ｅとボックスカバー３の側壁板３ｄとは連結されている。よって、かかる側壁板２ｅ，３ｄの対向面間へ薄板状の工具等を差し込んでこじ開けようとしても、こじ開ける際の持ち上げ量を各係止枠２ｅ１及び各係止爪３ｄ１により制限することができる。従って、かかる持ち上げ量の制限により、ボックスベース２の側壁板２ｅと側壁板３ｄとの対向面間に隙間が開くことを防止することができるのである。
【０１１０】
ここで、例えば、側壁板２ｅ，３ｄの対向面がそれぞれ略平面状に形成されていると、かかる対向面間から薄板状の工具等が差し込まれて、その工具等の先端部分で主制御基板７の信号線が削られ切断され、遊技内容が不正に変更されてしまう。
【０１１１】
しかしながら、基板ボックス１では、各係止枠２ｅ１及び各係止爪３ｄ１によってボックスベース２とボックスカバー３とが連結される箇所、即ち、側壁板２ｅ，３ｄの対向面間を、遮蔽板３ｄ２によって遮蔽している。よって、かかる側壁板２ｅ，３ｄの対向面間へ薄板状の工具等が差し込まれたとしても、その工具等の先端は遮蔽板３ｄ２に突き当たるので、かかる工具等の差し込みを防止することができる。
【０１１２】
この差し込みの防止によりボックスベース２及びボックスカバー３のこじ開けが防止されるので、こじ開けられた基板ボックス１の隙間から薄板状の工具や針金等を差し込んで主制御基板７に不正な加工を施し、パチンコ機Ｐの遊技内容を変更する不正行為を防止することができる。
【０１１３】
また、各遮蔽板３ｄ２は、略平板状に形成され、且つ、ボックスカバー３の側壁板３ｄの端面における各係止爪３ｄ１の間部分にそれぞれ立設されるので、各係止爪３ｄ１とともに側壁板３ｄと側壁板２ｅとの対向面間をほぼ全域に亘って遮蔽することができる。
【０１１４】
更に、遮蔽板３ｄ２は、ボックスカバー３の側壁板３ｄに一体的に立設されるので、かかる側壁板３ｄとボックスベース２の側壁板２ｅとの対向面間を封印シールなどの他の部材を用いて塞がなくても、かかる対向面間に生じる間隙を遮蔽することができる。よって、封印シールなどを別途、側壁板３ｄとボックスベース２の側壁板２ｅとの対向面間に貼り付ける必要がないので、その分、基板ボックス１の組立作業を簡素化することができる。また、上記の通り、余分な封印シールが不要なので、基板ボックス１の部品点数がされて、その分、基板ボックス１に要するコストを低減することができる。
【０１１５】
以上、実施例に基づき本発明を説明したが、本発明は上記実施例に何ら限定されるものではなく、本発明の趣旨を逸脱しない範囲内で種々の改良変形が可能であることは容易に推察できるものである。
【０１１６】
例えば、ボックスベース２の側壁板２ｅ及びボックスカバー３の側壁板３ｄにおける対向面間は、複数枚の遮蔽板３ｄ２によって遮蔽されたが、遮蔽板３ｄ２の枚数は必ずしもこれに限られるものではなく、例えば、遮蔽板は、側壁板３ｄの端面の全域に亘って連続した１枚の板状体に形成しても良い。この遮蔽板によれば、側壁板２ｅ，３ｄの合わせ目の全域を遮蔽して、薄板状の工具等の差し込みをより一層防止することができる。
【０１１７】
本実施例では、ボックスカバー３の側壁板３ｄに遮蔽板３ｄを立設したが、例えば、ボックスベース２の側壁板２ｅに遮蔽板を立設しても良い。即ち、ボックスベース２の側壁板２ｅとボックスカバー３の側壁板３ｄとの合わせ目を遮蔽することができれば、遮蔽板は、ボックスベース又はボックスカバーのいずれに設けても良い。また、本実施例では、ボックスカバー３の側壁板３ｄに遮蔽板３ｄを立設したが、例えば、遮蔽板をボックスカバーと別体に形成しても良い。
【０１１８】
更に、本実施例では、側壁板２ｅ，３ｄ、遮蔽板３ｄ２及び段部３ｄ３の合わせ目を合决り状に接合したが、かかる接合部分の合わせ目の形状は、必ずしもこれに限られるものではなく、例えば、斜め矧ぎ（ななめはぎ）、本実矧ぎ（ほんざねはぎ）、相互矧ぎ（そうごはぎ）又は矢はず矧ぎ（やはずはぎ）などの板矧ぎ（いたはぎ）形状に構成しても良い。
【０１１９】
本実施例では、主制御基板７を収容する基板ボックス１に本発明を適用したが、遊技機に配設される他の回路基板、例えば、球の払い出しの制御を行う払い出し制御基板などを収容する基板ボックスに本発明を適用しても良い。
【０１２０】
なお、以下に本発明の変形例を示す。請求項１記載の遊技機用基板ボックスにおいて、前記側壁部材を、その側壁部材に対向する前記ボックスベース又はボックスカバーの他方における縁部に連結し、そのボックスカバーを前記ボックスベースに対して開閉可能に結合する開閉部材を備え、前記遮蔽部材は、その開閉部材により結合される前記側壁部材と前記ボックスベース又はボックスカバーの他方における縁部との対向面間を遮蔽するものであることを特徴とする遊技機用基板ボックス１。
【０１２１】
遊技機用基板ボックス１によれば、開閉部材によって、側壁部材とボックスベース又はボックスカバーの他方における縁部とは連結されるので、かかる両者の対向面間へ薄板状の工具等を差し込んでこじ開けようとしても、こじ開ける際の持ち上げ量を開閉部材により制限できる。よって、かかる持ち上げ量の制限により、側壁部材とボックスベース又はボックスカバーの他方との対向面間に隙間が開くことを防止することができる。
【０１２２】
ここで、例えば、開閉部材により連結された側壁部材とボックスベース又はボックスカバーの他方における縁部との対向面がそれぞれ略平面状に形成されていると、かかる対向面間から薄板状の工具等を差し込まれてしまう。かかる工具等が差し込まれると、その工具等の先端部分で回路基板の信号線が削られ切断されて、遊技内容が不正に変更されてしまうおそれがある。
【０１２３】
しかしながら、遊技機用基板ボックス１によれば、遮蔽部材によって、側壁部材とボックスベース又はボックスカバーの他方における縁部との対向面間は遮蔽されるので、かかる対向面間へ薄板状の工具等が差し込まれたとしても、その工具等の先端は遮蔽部材に突き当たるので、かかる工具等の差し込みを防止することができるのである。
【０１２４】
請求項１記載の遊技機用基板ボックス、又は、遊技機用基板ボックス１において、前記ボックスベース又はボックスカバーの他方は、前記側壁部材と対向する位置からその側壁部材へ向けて立設される第２側壁部材を備え、前記遮蔽部材は、前記側壁部材から前記ボックスベース又はボックスカバーの他方側へ向けて立設されるとともに、前記第２側壁部材における前記側壁部材との対向面より更に前記ボックスベース又はボックスカバーの他方側へ延出されていることを特徴とする遊技機用基板ボックス２。
【０１２５】
この遊技機用基板ボックス２によれば、ボックスカバーがボックスベースの開放部分に覆設される場合、側壁部材から立設される遮蔽部材は、第２側壁部材における側壁部材との対向面より更にボックスベース又はボックスカバーの他方側へ延出され、この延出部分により側壁部材と第２側壁部材との対向面間を遮蔽することができる。よって、ボックスベース及びボックスカバーをこじ開けるために、薄板状の工具等が第１及び第２側壁部材の対向面間へ差し込まれたとしても、その工具等の先端は遮蔽部材の延出部分に突き当たるので、薄板状の工具等の差し込みを防止して、ボックスベース及びボックスカバーのこじ開けを防止することができる。
【０１２６】
遊技機用基板ボックス２において、前記第２側壁部材における前記側壁部材との対向面は、その側壁部材における前記第２側壁部材との対向面と当接されており、前記遮蔽部材は、前記第２側壁部材の立設位置より内側位置へ向けて立設され、その遮蔽部材の外側面は前記第２側壁部材の内側面と当接されていることを特徴とする遊技機用基板ボックス３。よって、側壁部材と第２側壁部材との対向面間、及び、遮蔽部材の外側面と第２側壁部材の内側面との間に隙間ができることがない。従って、このような隙間に薄板状の工具等を差し込んで、ボックスベース及びボックスカバーをこじ開ける不正行為を防止することができる。
【０１２７】
請求項１記載の遊技機用基板ボックス、又は、遊技機用基板ボックス１から３のいずれかにおいて、前記遮蔽部材は、略板状に形成されるとともに、前記ボックスベース又はボックスカバーの縁部に沿って所定長さ連続して設けられていることを特徴とする遊技機用基板ボックス４。
【０１２８】
請求項１記載の遊技機用基板ボックス、又は、遊技機用基板ボックス１から４のいずれかにおいて、前記遮蔽部材は前記ボックスベース又はボックスカバーのいずれか一方に一体的に形成されていることを特徴とする遊技機用基板ボックス５。
【０１２９】
請求項１記載の遊技機用基板ボックス、又は、遊技機用基板ボックス１から４のいずれかにおいて、前記遮蔽部材は前記ボックスベースおよびボックスカバーと別体に形成されていることを特徴とする遊技機用基板ボックス６。
【０１３０】
【発明の効果】  本発明の遊技機用基板ボックスによれば、ボックスカバーがボックスベースの開放部分に覆設される場合には、遮蔽部材によって、そのボックスベース又はボックスカバーの他方と側壁部材との対向面間を遮蔽することができる。よって、ボックスベース及びボックスカバーをこじ開けるために、薄板状の工具等がボックスベース又はボックスカバーの他方と側壁部材との対向面間へ差し込まれたとしても、その工具等の先端は遮蔽部材に突き当たるので、かかる工具等の差し込みを防止することができる。この差し込みの防止によりボックスベース及びボックスカバーのこじ開けが防止されるので、こじ開けにより生じる隙間から薄板状の工具や針金等を差し込んで、回路基板に不正な加工を施し、遊技機の遊技内容を変更する不正行為を防止することができるという効果がある。
【０１３１】
また、開閉部材によって、側壁部材とボックスベース又はボックスカバーの他方における縁部とは連結されるので、かかる両者の対向面間へ薄板状の工具等を差し込んでこじ開けようとしても、こじ開ける際の持ち上げ量を開閉部材により制限できる。よって、かかる持ち上げ量の制限により、側壁部材とボックスベース又はボックスカバーの他方との対向面間に隙間が開くことを防止することができるという効果がある。
【０１３２】
ここで、例えば、開閉部材により連結された側壁部材とボックスベース又はボックスカバーの他方における縁部との対向面がそれぞれ略平面状に形成されていると、かかる対向面間から薄板状の工具等を差し込まれてしまう。かかる工具等が差し込まれると、その工具等の先端部分で回路基板の信号線が削られ切断されて、遊技内容が不正に変更されてしまうおそれがある。しかしながら、遮蔽部材によって、側壁部材とボックスベース又はボックスカバーの他方における縁部との対向面間は遮蔽されるので、対向面間へ薄板状の工具等が差し込まれたとしても、その工具等の先端は遮蔽部材に突き当たるので、工具等の差し込みを防止することができるという効果がある。
【０１３３】
ボックスカバーがボックスベースの開放部分に覆設される場合、側壁部材から立設される遮蔽部材は、第２側壁部材における側壁部材との対向面より更にボックスベース又はボックスカバーの他方側へ延出され、この延出部分により側壁部材と第２側壁部材との対向面間を遮蔽することができる。よって、ボックスベース及びボックスカバーをこじ開けるために、薄板状の工具等が第１及び第２側壁部材の対向面間へ差し込まれたとしても、その工具等の先端は遮蔽部材の延出部分に突き当たるので、薄板状の工具等の差し込みを防止して、ボックスベース及びボックスカバーのこじ開けを防止することができるという効果がある。
【０１３４】
第２側壁部材における側壁部材との対向面は、その側壁部材における第２側壁部材との対向面と当接されており、遮蔽部材は、第２側壁部材の立設位置より内側位置へ向けて立設され、その遮蔽部材の外側面は第２側壁部材の内側面と当接されている。よって、側壁部材と第２側壁部材との対向面間、及び、遮蔽部材の外側面と第２側壁部材の内側面との間に隙間ができることがない。従って、このような隙間に薄板状の工具等を差し込んで、ボックスベース及びボックスカバーをこじ開ける不正行為を防止することができるという効果がある。
【図面の簡単な説明】
【図１】  本発明の一実施例である基板ボックスが配設されたパチンコ機の裏面図である。
【図２】  基板ボックスの分解斜視図である。
【図３】  ボックス本体に合致されたボックス蓋体がスライドされて結合される以前の状態における基板ボックスの側断面図である。
【図４】  基板ボックスの組立後の外観斜視図である。
【図５】  （ａ）は、図４のＶａ−Ｖａ線における係止枠及び係止爪の側断面図であり、（ｂ）は、図４のＶｂ−Ｖｂ線における遮蔽板の側断面図である。
【図６】  基板ボックスに配設されたボックス封印具の拡大斜視図である。
【図７】  天板を下方へ向けた状態のボックス蓋体の部分的拡大図である。
【図８】  基板ボックスを封印した状態におけるボックス封印具の部分断面図である。
【図９】  予備ねじを保持した状態におけるボックス封印具の部分断面図である。
【符号の説明】
１      主制御基板ボックス（遊技機用基板ボックス）
２      ボックスベース
２ｅ  側壁板（第２側壁部材、ボックスベース又はボックスカバーの他方における縁部）
２ｅ１  係止枠（開閉部材の一部）
３      ボックスカバー
３ｄ    側壁板（側壁部材）
３ｄ１  係止爪（開閉部材の一部）
３ｄ２  遮蔽板（遮蔽部材）
７      主制御基板（回路基板）
Ｐ      パチンコ機（遊技機）